(57)【要約】広告の提供対象の属性を示す属性情報と、広告を提供する車両に関する情報とに基づいて、車両に提供させる広告に関する制御を行う処理部を備える、情報処理装置が、提供される。【選択図】図２
2018105217.tif 000002
【特許請求の範囲】
【請求項１】
広告の提供対象の属性を示す属性情報と、広告を提供する車両に関する情報とに基づいて、前記車両に提供させる広告に関する制御を行う処理部を備える、情報処理装置。
【請求項２】
前記処理部は、
広告を提供する地域を特定し、
特定された前記地域に含まれる前記提供対象の前記属性情報と、特定された前記地域に含まれる前記車両に関する情報とに基づいて、前記広告に関する制御を行う、請求項１に記載の情報処理装置。
【請求項３】
前記処理部は、前記広告に関する制御として、提供させる広告の内容の制御と、広告の提供の制御とを行う、請求項１に記載の情報処理装置。
【請求項４】
前記処理部は、前記属性情報と前記車両に関する情報とに基づいて広告を決定し、決定された前記広告を前記車両に提供させる、請求項１に記載の情報処理装置。
【請求項５】
前記処理部は、１種類の広告を決定し、決定された前記１種類の広告を前記車両に提供させる、請求項４に記載の情報処理装置。
【請求項６】
前記処理部は、複数種類の広告を決定し、決定された前記複数種類の広告を前記車両に提供させる、請求項４に記載の情報処理装置。
【請求項７】
前記処理部は、
複数種類の広告を優先度を付けて決定し、
前記優先度に基づく提供の仕方で、決定された前記複数種類の広告を前記車両に提供させる、請求項６に記載の情報処理装置。
【請求項８】
前記処理部は、前記車両に関する情報に基づき特定される前記車両の位置、および前記属性情報に基づき特定される前記提供対象に対応する広告を、前記車両に提供させる広告として決定する、請求項４に記載の情報処理装置。
【請求項９】
前記処理部は、前記属性情報と前記車両に関する情報との一方または双方に基づいて、決定された前記広告の提供の仕方を制御する、請求項４に記載の情報処理装置。
【請求項１０】
前記処理部は、前記車両に関する情報に基づいて、前記車両における決定された前記広告の提供を制限する、請求項９に記載の情報処理装置。
【請求項１１】
前記処理部は、前記車両に、決定された前記広告を提供させない、請求項１０に記載の情報処理装置。
【請求項１２】
前記車両が、広告を提供する提供デバイスを複数備える場合、
前記処理部は、前記車両が備える複数の前記提供デバイスのうちの一部を用いた前記広告の提供を、制限する、請求項１０に記載の情報処理装置。
【請求項１３】
前記処理部は、複数の前記車両それぞれに対応する前記車両に関する情報に基づいて、複数の前記車両に、決定された前記広告を連携して提供させる、請求項９に記載の情報処理装置。
【請求項１４】
前記処理部は、前記属性情報に基づいて、前記車両における決定された前記広告の提供時間を制限する、請求項９に記載の情報処理装置。
【請求項１５】
前記処理部は、前記車両に提供させた広告の評価に関する処理を、さらに行う、請求項１に記載の情報処理装置。
【請求項１６】
前記処理部は、前記広告の評価に関する処理の結果に対応する広告を、前記車両に提供させる、請求項１５に記載の情報処理装置。
【請求項１７】
１または２以上の車両と、
前記車両それぞれに提供させる広告に関する制御を行う情報処理装置と、
を有し、
前記情報処理装置は、
広告の提供対象の属性を示す属性情報と、広告を提供する車両に関する情報とに基づいて、前記広告に関する制御を行う処理部を備える、情報処理システム。
【発明の詳細な説明】
【技術分野】
【０００１】
本開示は、情報処理装置、および情報処理システムに関する。
【背景技術】
【０００２】
移動物体による広告の提供に関する技術が開発されている。飛行機や自動車などの情報を提供する移動物体の移動を制御することにより広告の効果の向上を図る技術としては、例えば下記の特許文献１に記載の技術が挙げられる。
【先行技術文献】
【特許文献】
【０００３】
【特許文献１】特開２０１５−１８４３３５号公報
【発明の概要】
【発明が解決しようとする課題】
【０００４】
例えば特許文献１に記載の技術のように、広告を提供する移動物体の移動を制御する技術が用いられる場合には、広告の提供対象となる人が、当該移動物体を視認する可能性を高めることができる。【０００５】
しかしながら、単に、広告の提供対象となる人が広告を提供する移動物体を視認する可能性を高めたとしても、広告の提供効果の向上を図ることができるとは限られない。【０００６】
本開示では、広告の提供効果の向上を図ることが可能な、新規かつ改良された情報処理装置、および情報処理システムを提案する。
【課題を解決するための手段】
【０００７】
本開示によれば、広告の提供対象の属性を示す属性情報と、広告を提供する車両に関する情報とに基づいて、上記車両に提供させる広告に関する制御を行う処理部を備える、情報処理装置が、提供される。【０００８】
また、本開示によれば、１または２以上の車両と、上記車両それぞれに提供させる広告に関する制御を行う情報処理装置と、を有し、上記情報処理装置は、広告の提供対象の属性を示す属性情報と、広告を提供する車両に関する情報とに基づいて、上記広告に関する制御を行う処理部を備える、情報処理システムが、提供される。
【発明の効果】
【０００９】
本開示によれば、広告の提供効果の向上を図ることができる。【００１０】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１１】
【図１】本実施形態に係る情報処理システムの構成の一例を示す説明図である。
【図２】本実施形態に係る情報処理装置の構成の一例を示すブロック図である。
【図３】本実施形態に係る情報処理装置のハ−ドウェア構成の一例を示す説明図である。
【図４Ａ】本実施形態に係る車両の一例を示す説明図である。
【図４Ｂ】本実施形態に係る車両の一例を示す説明図である。
【図４Ｃ】本実施形態に係る車両の一例を示す説明図である。
【図５】本実施形態に係る車両の構成の一例を示すブロック図である。
【図６】本実施形態に係る車両のハ−ドウェア構成の一例を示す説明図である。
【図７】本実施形態に係る制御方法に係る処理の一例を示す流れ図である。
【図８】本実施形態に係る制御方法に係る処理の他の例を示す流れ図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、以下では、下記に示す順序で説明を行う。
１．本実施形態に係る情報処理システム
２．本実施形態に係る制御方法
３．本実施形態に係る情報処理システムを構成する各装置の適用例
４．本実施形態に係るプログラム
【００１４】
（本実施形態に係る情報処理システム）
図１は、本実施形態に係る情報処理システム１０００の構成の一例を示す説明図である。情報処理システム１０００は、例えば、情報処理装置１００と、車両２００Ａ、２００Ｂ、２００Ｃ、…とを有する。
【００１５】
なお、本実施形態に係る情報処理システムの構成は、図１に示す例に限られない。例えば図１では、本実施形態に係る情報処理システムが複数の車両を有している例を示しているが、本実施形態に係る情報処理システムは、車両を１つ有していてもよい。
【００１６】
以下では、本実施形態に係る情報処理システムが複数の車両を有している場合を例に挙げる。また、以下では、情報処理システム１０００を構成する車両２００Ａ、２００Ｂ、２００Ｃ、…を総称して、または、情報処理システム１０００を構成する車両２００Ａ、２００Ｂ、２００Ｃ、…のうちの１つの車両を指して、「車両２００」と示す。
【００１７】
情報処理装置１００と車両２００とは、例えばネットワ−ク３００を介して無線または有線で接続される。ネットワ−ク３００としては、例えば、ＬＡＮ（Local  Area  Network）やＷＡＮ（Wide  Area  Network）などの有線ネットワ−ク、移動体通信網や無線ＬＡＮ（ＷＬＡＮ：Wireless  Local  Area  Network）などの無線ネットワ−ク、あるいは、ＴＣＰ／ＩＰ（Transmission  Control  Protocol/Internet  Protocol）などの通信プロトコルを用いたインタ−ネットなどが挙げられる。なお、本実施形態に係る情報処理システムでは、情報処理装置１００と車両２００とは、ネットワ−ク３００を介さずに、直接的に通信を行うことも可能である。
【００１８】
［１］情報処理装置１００
情報処理装置１００は、本実施形態に係る情報処理システムを構成する車両（車両２００、または、情報処理装置１００および車両２００）に提供させる広告に関する制御を行う。以下では、本実施形態に係る情報処理システムを構成する車両に提供させる広告に関する制御を、「広告に関する制御」と示す。本実施形態に係る広告に関する制御の一例については、後述する本実施形態に係る制御方法に係る処理の一例において示す。
【００１９】
図２は、本実施形態に係る情報処理装置１００の構成の一例を示すブロック図である。情報処理装置１００は、例えば、通信部１０２と、制御部１０４とを備える。
【００２０】
また、情報処理装置１００は、例えば、ＲＯＭ（Read  Only  Memory。図示せず）や、ＲＡＭ（Random  Access  Memory。図示せず）、記憶部（図示せず）などを備えていてもよい。情報処理装置１００は、例えば、デ−タの伝送路としてのバスにより上記各構成要素間を接続する。
【００２１】
ＲＯＭ（図示せず）は、制御部１０４が使用するプログラムや演算パラメ−タなどの制御用デ−タを記憶する。ＲＡＭ（図示せず）は、制御部１０４により実行されるプログラムなどを一時的に記憶する。
【００２２】
記憶部（図示せず）は、情報処理装置１００が備える記憶手段であり、例えば、広告に関する制御に係るデ−タや、各種アプリケ−ションなど様々なデ−タを記憶する。ここで、記憶部（図示せず）としては、例えば、ハ−ドディスクなどの磁気記録媒体や、フラッシュメモリなどの不揮発性メモリなどが挙げられる。また、記憶部（図示せず）は、情報処理装置１００から着脱可能であってもよい。
【００２３】
［情報処理装置１００のハ−ドウェア構成例］
図３は、本実施形態に係る情報処理装置１００のハ−ドウェア構成の一例を示す説明図である。情報処理装置１００は、例えば、プロセッサ１５０と、ＲＯＭ１５２と、ＲＡＭ１５４と、記録媒体１５６と、入出力インタフェ−ス１５８と、操作デバイス１６０と、表示デバイス１６２と、通信デバイス１６４とを備える。また、情報処理装置１００は、例えば、デ−タの伝送路としてのバス１６６で各構成要素間を接続する。また、情報処理装置１００は、例えば、情報処理装置１００が備えているバッテリなどの内部電源から供給される電力、または、接続されている外部電源から供給される電力などによって、駆動する。
【００２４】
プロセッサ１５０は、例えば、ＭＰＵ（Micro  Processing  Unit）などの演算回路で構成される、１または２以上のプロセッサや、各種処理回路などで構成され、情報処理装置１００全体を制御する制御部１０４として機能する。また、プロセッサ１５０は、情報処理装置１００において、例えば、後述する処理部１１０の役目を果たす。なお、処理部１１０は、各部の処理を実現可能な専用の（または汎用の）回路（例えば、プロセッサ１５０とは別体のプロセッサなど）で構成されていてもよい。
【００２５】
ＲＯＭ１５２は、プロセッサ１５０が使用するプログラムや演算パラメ−タなどの制御用デ−タなどを記憶する。ＲＡＭ１５４は、例えば、プロセッサ１５０により実行されるプログラムなどを一時的に記憶する。
【００２６】
記録媒体１５６は、記憶部（図示せず）として機能し、例えば、広告に関する制御に係るデ−タや、広告を示す画像（静止画像または動画像）、各種アプリケ−ションなど様々なデ−タを記憶する。ここで、記録媒体１５６としては、例えば、ハ−ドディスクなどの磁気記録媒体や、フラッシュメモリなどの不揮発性メモリが挙げられる。また、記録媒体１５６は、情報処理装置１００から着脱可能であってもよい。
【００２７】
入出力インタフェ−ス１５８は、例えば、操作デバイス１６０や、表示デバイス１６２を接続する。ここで、入出力インタフェ−ス１５８としては、例えば、ＵＳＢ（Universal  Serial  Bus）端子や、ＤＶＩ（Digital  Visual  Interface）端子、ＨＤＭＩ（High−Definition  Multimedia  Interface）（登録商標）端子、各種処理回路などが挙げられる。
【００２８】
また、操作デバイス１６０は、例えば、情報処理装置１００上に備えられ、情報処理装置１００の内部で入出力インタフェ−ス１５８と接続される。操作デバイス１６０としては、例えば、ボタンや、方向キ−、ジョグダイヤルなどの回転型セレクタ、あるいは、これらの組み合わせなどが挙げられる。
【００２９】
また、表示デバイス１６２は、例えば、情報処理装置１００上に備えられ、情報処理装置１００の内部で入出力インタフェ−ス１５８と接続される。表示デバイス１６２としては、例えば、液晶ディスプレイや有機ＥＬディスプレイなどが挙げられる。
【００３０】
なお、入出力インタフェ−ス１５８が、情報処理装置１００の外部の操作デバイス（例えば、キ−ボ−ドやマウスなど）や外部の表示デバイスなどの、外部デバイスと接続することも可能であることは、言うまでもない。また、表示デバイス１６２は、例えばタッチパネルなど、表示と操作とが可能なデバイスであってもよい。
【００３１】
通信デバイス１６４は、情報処理装置１００が備える通信手段であり、ネットワ−ク３００を介して（あるいは、直接的に）、例えば車両２００などの外部装置と、無線または有線で通信を行うための通信部１０２として機能する。ここで、通信デバイス１６４としては、例えば、通信アンテナおよびＲＦ（Radio  Frequency）回路（無線通信）や、ＩＥＥＥ８０２．１５．１ポ−トおよび送受信回路（無線通信）、ＩＥＥＥ８０２．１１ポ−トおよび送受信回路（無線通信）、あるいはＬＡＮ端子および送受信回路（有線通信）などが挙げられる。また、通信デバイス１６４は、ネットワ−ク３００に対応する任意の構成であってもよい。
【００３２】
情報処理装置１００は、例えば図３に示す構成によって、広告に関する制御を行う。なお、本実施形態に係る情報処理装置１００のハ−ドウェア構成は、図３に示す構成に限られない。
【００３３】
例えば、情報処理装置１００は、接続されている外部の通信デバイスを介して外部装置などと通信を行う場合には、通信デバイス１６４を備えていなくてもよい。また、通信デバイス１６４は、複数の通信方式によって、１または２以上の外部装置などと通信を行うことが可能な構成であってもよい。
【００３４】
また、情報処理装置１００は、例えば、操作デバイス１６０、表示デバイス１６２、および記録媒体１５６のうちの１または２以上を備えない構成をとることが可能である。
【００３５】
また、情報処理装置１００は、例えば、後述する情報処理装置１００の適用例に応じた構成をとることが可能である。
【００３６】
また、例えば、図３に示す構成（または変形例に係る構成）の一部または全部は、１、または２以上のＩＣ（Integrated  Circuit）で実現されてもよい。
【００３７】
再度図２を参照して、情報処理装置１００の構成の一例について説明する。通信部１０２は、情報処理装置１００が備える通信手段であり、ネットワ−ク３００を介して（あるいは、直接的に）、車両２００などの外部装置と無線または有線で通信を行う。また、通信部１０２は、例えば制御部１０４により通信が制御される。
【００３８】
ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路などの通信を行うことが可能な任意の規格に対応する構成や、ネットワ−ク３００を介して外部装置と通信可能な任意の構成をとることができる。また、通信部１０２は、複数の通信方式によって、１または２以上の外部装置などと通信を行うことが可能な構成であってもよい。
【００３９】
制御部１０４は、例えば１または２以上のプロセッサなどで構成され、情報処理装置１００全体を制御する役目を果たす。また、制御部１０４は、例えば処理部１１０を備える。処理部１１０は、後述する広告に関する制御を主導的に行う役目を果たす。
【００４０】
情報処理装置１００は、例えば図２に示す構成を有する。
【００４１】
なお、本実施形態に係る情報処理装置１００の構成は、図２に示す構成に限られない。
【００４２】
例えば、情報処理装置１００は、図２に示す処理部１１０を、制御部１０４とは個別に備える（例えば、別の処理回路で実現する）ことができる。
【００４３】
また、例えば、通信部１０２と同様の機能、構成を有する外部の通信デバイスを介して外部装置と通信を行う場合には、情報処理装置１００は、通信部１０２を備えていなくてもよい。
【００４４】
［２］車両２００
車両２００は、運転者による運転、外部運転者による遠隔運転、または、運転者によらない自動運転が可能な移動体である。外部運転者による遠隔運転、または、自動運転が行われる場合において、車両２００には、人が乗っていてもよいし、乗っていなくてもよい。本実施形態に係る車両２００における自動運転としては、例えば、ＮＨＴＳＡ（National  Highway  Traffic  Safety  Administration）により定義されるレベル３またはレベル４に該当する自動運転が、挙げられる。なお、運転者による運転または外部運転者による遠隔運転が行われる場合、車両２００では、ＮＨＴＳＡにより定義されるレベル１またはレベル２に該当する自動運転が適用されていてもよい。
【００４５】
車両２００としては、例えば、電動カ−トなどのモ−タで動く電気自動車が挙げられる。なお、本実施形態に係る車両２００は電気自動車に限らない。本実施形態に係る車両２００の他の適用例については、後述する。
【００４６】
図４Ａ、図４Ｂ、図４Ｃは、本実施形態に係る車両２００の一例を示す説明図である。車両２００の前進方向を基準とすると、図４Ａ、図４Ｂ、図４Ｃは、それぞれ下記の方向から車両２００をみた場合における外観の一例を示している。以下では、車両２００の前進方向を「前」と表し、後進方向を「後ろ」と表す。
・図４Ａ：車両２００を左斜め前からみた場合における外観の一例
・図４Ｂ：車両２００を右からみた場合における外観の一例
・図４Ｃ：車両２００を後ろからみた場合における外観の一例
【００４７】
車両２００は、例えば、撮像デバイス（画像センサ）、ＧＮＳＳ（Global  Navigation  Satellite  System）デバイスなどの位置センサなどの、様々なセンサを備える。車両２００は、例えば、車両２００の前面、側面、背面などの車両２００の周囲を撮像することが可能な、１または２以上の撮像デバイスを備える。また、車両２００が備える撮像デバイスは、ステレオカメラであってもよい。また、車両２００が備える位置センサは、例えば、基地局との無線通信を利用して位置を推定するセンサや、ＳＬＡＭ（Simultaneous  Localization  And  Mapping）技術を利用して位置を推定するセンサなど、位置を推定することが可能な任意の方式のセンサであってもよい。
【００４８】
また、例えば図４Ａ、図４Ｂ、図４Ｃに示すように、車両２００の前面、側面、背面それぞれには、様々な文字や画像を表示することが可能な表示画面Ｍが設けられる。
【００４９】
ここで、表示画面Ｍに表示される画像としては、例えば、広告を示す画像（静止画像または動画像）が、挙げられる。車両２００は、例えば表示画面Ｍに広告を示す画像を表示させることによって、広告を提供することが可能である。つまり、表示画面Ｍに画像を表示する表示デバイスそれぞれは、広告を提供する提供デバイスの一例に該当する。
【００５０】
なお、表示画面Ｍに表示される画像は、広告を示す画像に限られない。例えば、表示画面Ｍには、車両２００の運転者や車両２００の所有者などによる操作によって、任意の画像が表示されてもよい。
【００５１】
表示画面Ｍそれぞれへの画像の表示制御は、例えば後述する車両２００が備える制御部２１０により行われる。
【００５２】
なお、本実施形態に係る車両２００の外観等は、図４Ａ、図４Ｂ、図４Ｃに示す例に限られない。例えば、図４Ａ、図４Ｂ、図４Ｃでは、車両２００の前面、側面、背面それぞれに表示画面Ｍが設けられている例を示しているが、車両２００の前面、側面、背面のうちの一部には、表示画面Ｍが設けられていなくてもよい。以下では、本実施形態に係る車両２００が、図４Ａ、図４Ｂ、図４Ｃに示す車両である例を説明する。
【００５３】
図５は、本実施形態に係る車両２００の構成の一例を示すブロック図である。車両２００は、例えば、通信部２０２と、撮像部２０４と、表示部２０６と、操作部２０８と、制御部２１０とを備える。
【００５４】
また、車両２００は、車両を動かすための駆動部（図示せず）を備える。駆動部（図示せず）としては、例えば後述する駆動デバイスが挙げられる。
【００５５】
また、車両２００は、例えば、ＲＯＭ（図示せず）や、ＲＡＭ（図示せず）、記憶部（図示せず）などを備えていてもよい。車両２００は、例えば、デ−タの伝送路としてのバスにより上記各構成要素間を接続する。
【００５６】
ＲＯＭ（図示せず）は、制御部２１０が使用するプログラムや演算パラメ−タなどの制御用デ−タを記憶する。ＲＡＭ（図示せず）は、制御部２１０により実行されるプログラムなどを一時的に記憶する。
【００５７】
記憶部（図示せず）は、車両２００が備える記憶手段であり、例えば、広告を示す画像（静止画像または動画像）や、各種アプリケ−ションなど様々なデ−タを記憶する。ここで、記憶部（図示せず）としては、例えば、ハ−ドディスクなどの磁気記録媒体や、フラッシュメモリなどの不揮発性メモリなどが挙げられる。また、記憶部（図示せず）は、車両２００から着脱可能であってもよい。
【００５８】
［車両２００のハ−ドウェア構成例］
図６は、本実施形態に係る車両２００のハ−ドウェア構成の一例を示す説明図である。車両２００は、例えば、プロセッサ２５０と、ＲＯＭ２５２と、ＲＡＭ２５４と、記録媒体２５６と、駆動デバイス２５８と、入出力インタフェ−ス２６０と、操作デバイス２６２と、表示デバイス２６４と、通信デバイス２６６と、センサ群２６８と、バッテリ２７０とを備える。また、車両２００は、例えば、デ−タなどの伝送路としてのバス１７２で各構成要素間を接続する。車両２００は、例えば、バッテリ２７０などの内部電源から供給される電力、または、接続されている外部電源から供給される電力などによって、駆動する。
【００５９】
プロセッサ２５０は、例えば、ＭＰＵなどの演算回路で構成される、１または２以上のプロセッサや、各種処理回路などで構成され、車両２００全体を制御する。また、プロセッサ２５０は、後述する制御部２１０として機能する。
【００６０】
ＲＯＭ２５２は、プロセッサ２５０が使用するプログラムや演算パラメ−タなどの制御用デ−タなどを記憶する。ＲＡＭ２５４は、例えば、プロセッサ２５０により実行されるプログラムなどを一時的に記憶する。
【００６１】
記録媒体２５６は、記憶部（図示せず）として機能し、例えば各種アプリケ−ションなど様々なデ−タを記憶する。ここで、記録媒体２５６としては、例えば、ハ−ドディスクなどの磁気記録媒体や、フラッシュメモリなどの不揮発性メモリが挙げられる。また、記録媒体２５６は、車両２００から着脱可能であってもよい。
【００６２】
駆動デバイス２５８としては、例えば、モ−タなどの動力源、車輪、および動力源により発生された動力を車輪に伝達するための伝動装置、ブレ−キ機構など、車両２００の移動に係る様々なデバイス（または機構）を含む。なお、駆動デバイス２５８は、後述する車両２００の適用例に応じた様々な構成をとりうる。
【００６３】
入出力インタフェ−ス２６０は、例えば、操作デバイス２６２や、表示デバイス２６４を接続する。操作デバイス２６２は、操作部２０８として機能し、また、表示デバイス２６４は、表示部２０６として機能する。ここで、入出力インタフェ−ス２６０としては、例えば、ＵＳＢ端子や、ＤＶＩ端子、ＨＤＭＩ（登録商標）端子、各種処理回路などが挙げられる。
【００６４】
操作デバイス２６２は、例えば、有線で入出力インタフェ−ス２６０と接続される。なお、操作デバイス２６２は、任意の通信方式の無線通信によって、入出力インタフェ−ス２６０と接続されてもよい。操作デバイス２６２が無線通信により入出力インタフェ−ス２６０と接続される場合、操作デバイス２６２は、車両２００の外部の操作デバイスと捉えることも可能である。
【００６５】
操作デバイス２６２としては、例えば、“方向キ−、ボタン、スティック状のデバイスなどを含むゲ−ムコントロ−ラ”や、“ハンドル、シフトレバ−、アクセルペダル、およびブレ−キペダルを含むコントロ−ラ”などが、挙げられる。なお、車両２００の運転操作を行うための操作デバイスの例が、上記に示す例に限られないことは、言うまでもない。
【００６６】
表示デバイス２６４は、例えば、車両２００上に備えられ、車両２００の内部で入出力インタフェ−ス２６０と接続される。表示デバイス２６４としては、例えば、液晶ディスプレイや有機ＥＬディスプレイなどが挙げられる。なお、図６では、１つの表示デバイス２６４を示しているが、例えば図４Ａ、図４Ｂ、図４Ｃに示すように、車両２００は、複数の表示デバイス２６４を備えうる。
【００６７】
表示デバイス２６４が設けられる位置としては、例えば、図４Ａ、図４Ｂ、図４Ｃに示すような“車両２００の前面、側面、背面における、車両２００の外部から視認することが可能な位置”が、挙げられる。なお、上述したように、表示デバイス２６４が設けられる位置が、図４Ａ、図４Ｂ、図４Ｃに示す例に限られないことは、言うまでもない。
【００６８】
なお、入出力インタフェ−ス２６０が、車両２００の外部の操作デバイス（例えば、キ−ボ−ドやマウスなど）や外部の表示デバイスなどの、外部デバイスと接続することも可能であることは、言うまでもない。また、表示デバイス２６４は、例えばタッチパネルなど、表示と操作とが可能なデバイスであってもよい。
【００６９】
通信デバイス２６６は、車両２００が備える通信手段であり、ネットワ−ク３００を介して（あるいは、直接的に）、例えば情報処理装置１００などの外部装置と、無線または有線で通信を行うための通信部２０２として機能する。
【００７０】
ここで、通信デバイス２６６としては、例えば、通信アンテナおよびＲＦ回路（無線通信）や、ＩＥＥＥ８０２．１５．１ポ−トおよび送受信回路（無線通信）、ＩＥＥＥ８０２．１１ポ−トおよび送受信回路（無線通信）、あるいはＬＡＮ端子および送受信回路（有線通信）などが挙げられる。また、通信デバイス２６６は、ネットワ−ク３００に対応する任意の構成であってもよい。
【００７１】
センサ群２６８には、例えば１または２以上の撮像デバイス（画像センサ）が含まれる。撮像デバイスは、例えば、レンズ／撮像素子と信号処理回路とを含んで構成される。レンズ／撮像素子は、例えば、光学系のレンズと、複数の撮像素子を有するイメ−ジセンサとで構成される。撮像素子（図示せず）としては、例えば、ＣＭＯＳ（Complementary  Metal  Oxide  Semiconductor）や、ＣＣＤ（Charge  Coupled  Device）、ＣＭＯＳにＣＣＤなどの他の構成要素が積層されて構成されるスタック型の撮像素子が、挙げられる。信号処理回路は、例えば、ＡＧＣ（Automatic  Gain  Control）回路やＡＤＣ（Analog  to  Digital  Converter）を備え、撮像素子により生成されたアナログ信号をデジタル信号（画像デ−タ）に変換する。
【００７２】
また、センサ群２６８には、ＧＮＳＳデバイスなどの位置センサ、加速度センサや角速度センサなどの動きセンサなどの１または２以上のセンサがさらに含まれていてもよい。
【００７３】
バッテリ２７０は、車両２００が備える内部電源である。車両２００において電力で駆動する各デバイスは、例えばバッテリ２７０から供給される電力により駆動する。なお、上述したように、車両２００は、接続されている外部電源から供給される電力などによって、駆動することも可能である。
【００７４】
車両２００は、例えば図６に示す構成を有する。なお、本実施形態に係る車両２００のハ−ドウェア構成は、図６に示す構成に限られない。
【００７５】
例えば、車両２００は、スピーカなどの音声出力デバイス（図示せず）をさらに備えていてもよい。車両２００は、例えば、指向性を有さない音声出力デバイス（図示せず）、または、指向性を有する音声出力デバイス（図示せず）を、１つまたは２つ以上備える。
【００７６】
音声出力デバイス（図示せず）から出力される音声（音楽も含む）としては、例えば、商品内容を示す音声やイベント内容を示す音声などの、広告の内容を示す音声が、挙げられる。つまり、音声出力デバイス（図示せず）は、広告を提供する提供デバイスの他の例に該当する。
【００７７】
また、例えば、接続されている外部の通信デバイスを介して外部装置などと通信を行う場合には、車両２００は、通信デバイス２６６を備えていなくてもよい。また、通信デバイス２６６は、複数の通信方式によって、１または２以上の外部装置などと通信を行うことが可能な構成であってもよい。
【００７８】
また、例えば、接続されている外部の操作デバイスにより運転操作が行われる場合、または、自動運転が行われる場合には、車両２００は、操作デバイス２６２を備えていなくてもよい。
【００７９】
また、例えば接続されている外部の表示デバイスの表示画面に画像が表示される場合には、車両２００は、表示デバイス２６４を備えていなくてもよい。
【００８０】
また、例えば１または２以上の外部のセンサが接続されている場合には、車両２００は、センサ群２６８を構成する一部または全部のセンサを備えていなくてもよい。
【００８１】
また、例えば接続されている外部のバッテリから供給される電力により駆動する場合には、車両２００は、バッテリ２７０を備えていなくてもよい。
【００８２】
また、車両２００は、記録媒体２５６を備えない構成をとることが可能である。
【００８３】
また、車両２００は、例えば後述する車両２００の適用例に応じた構成をとることが可能である。
【００８４】
また、例えば、図６に示す構成（または変形例に係る構成）の一部または全部は、１、または２以上のＩＣで実現されてもよい。
【００８５】
再度図５を参照して、車両２００の構成の一例について説明する。通信部２０２は、車両２００が備える通信手段であり、ネットワ−ク３００を介して（あるいは、直接的に）、情報処理装置１００などの外部装置と無線または有線で通信を行う。また、通信部２０２は、例えば制御部２１０により通信が制御される。
【００８６】
ここで、通信部２０２としては、例えば、通信アンテナおよびＲＦ回路や、ＬＡＮ端子および送受信回路などが挙げられるが、通信部２０２の構成は、上記に限られない。例えば、通信部２０２は、ＵＳＢ端子および送受信回路などの通信を行うことが可能な任意の規格に対応する構成や、ネットワ−ク３００を介して外部装置と通信可能な任意の構成をとることができる。また、通信部２０２は、複数の通信方式によって、１または２以上の外部装置などと通信を行うことが可能な構成であってもよい。
【００８７】
撮像部２０４は、車両２００が備える撮像手段であり、車両２００の前面、側面、背面などの車両２００の周囲を撮像する画像センサの役目を果たす。撮像部２０４としては、例えばセンサ群２６８を構成する１または２以上の撮像デバイスが挙げられる。
【００８８】
表示部２０６は、車両２００が備える表示手段であり、広告を示す画像などの様々な画像などを、表示画面に表示させる。表示部２０６としては、例えば表示デバイス２６４が挙げられる。
【００８９】
操作部２０８は、車両２００が備える操作手段である。操作部２０８としては、例えば操作デバイス２６２が挙げられる。
【００９０】
制御部２１０は、例えば１または２以上のプロセッサなどで構成され、車両２００全体を制御する役目を果たす。
【００９１】
制御部２１０における制御の一例としては、例えば、表示画面Ｍへの画像の表示制御（表示デバイス２６４の制御）、音声出力デバイス（図示せず）からの音声の出力制御、通信部２０２による通信の制御、駆動デバイス２５８の制御などが、挙げられる。
【００９２】
制御部２１０は、例えば、情報処理装置１００から送信された制御情報（後述する）に基づいて、上記表示制御や上記音声の出力制御などの、広告の提供に係る制御に係る処理を行う。
【００９３】
また、図４Ｃに示す車両２００のように背面に表示画面Ｍが設けられる場合、制御部２１０は、車両２００の前面側（すなわち進行方向側）を撮像した撮像画像と、広告を示す画像とを、背面側の表示画面Ｍに切り替えて表示させてもよい。
【００９４】
上記のように車両２００の前面側を撮像した撮像画像と広告を示す画像とが、背面側の表示画面Ｍに表示されることによって、例えば、車両２００の後ろに存在する車両の運転者に広告を提供すると共に、車両２００の前方の状況を把握させることができる。また、広告の提供と共に車両２００の前方の状況を把握させることによって、例えば、“提供される広告に対して車両２００の後ろに存在する車両の運転者が抱く可能性がある不快感を軽減することができるという効果”が、期待される。
【００９５】
なお、制御部２１０における処理は、上記のような各種制御に係る処理に限られない。例えば、制御部２１０は、後述する属性情報を生成する処理を、さらに行ってもよい。また、車両２００において後述する属性情報を生成する処理は、当該属性情報を生成する処理を実現可能な専用の（または汎用の）回路（例えば、制御部２１０とは別体のプロセッサなど）により行われてもよい。
【００９６】
車両２００は、例えば図５に示す構成を有する。
【００９７】
なお、本実施形態に係る車両２００の構成は、図５に示す構成に限られない。
【００９８】
例えば、通信部２０２と同様の機能、構成を有する外部の通信デバイスを介して外部装置と通信を行う場合には、車両２００は、通信部２０２を備えていなくてもよい。
【００９９】
また、例えば撮像部２０４と同様の機能、構成を有する外部の撮像デバイスが接続されている場合には、車両２００は、撮像部２０４を備えていなくてもよい。
【０１００】
また、例えば表示部２０６と同様の機能、構成を有する外部の表示デバイスが接続されている場合には、車両２００は、表示部２０６を備えていなくてもよい。
【０１０１】
また、例えば操作部２０８と同様の機能、構成を有する外部の操作デバイスが接続されている場合には、車両２００は、操作部２０８を備えていなくてもよい。
【０１０２】
本実施形態に係る情報処理システム１０００は、例えば図１に示す構成を有する。図１に示す構成を有する情報処理システム１０００では、後述するように、情報処理装置１００によって車両２００それぞれにおける広告の提供が制御される。したがって、情報処理システム１０００では、広告の提供効果の向上が図られる。
【０１０３】
なお、本実施形態に係る情報処理システムの構成は、図１に示す例に限られない。
【０１０４】
例えば、本実施形態に係る情報処理システムは、本実施形態に係る情報処理システムを構成する車両の広告に関する制御を行うことが可能な情報処理装置を、複数有していていもよい。本実施形態に係る情報処理システムを構成する情報処理装置それぞれは、例えば図６に示す情報処理装置１００と同様の機能、構成を有する。
【０１０５】
また、本実施形態に係る情報処理システムは、広告内容に対応する場所（例えば、店舗など）に設けられる撮像装置を、さらに有していてもよい。上記撮像装置を有する情報処理システムでは、情報処理装置１００は、当該撮像装置により撮像された撮像画像に基づいて、広告の評価に関する処理（後述する）を行う。
【０１０６】
（本実施形態に係る制御方法）
［Ｉ］本実施形態に係る制御方法に係る処理の概要
次に、上述した情報処理システム１０００を主に例に挙げて、広告の提供効果の向上を図ることが可能な、情報処理装置１００における本実施形態に係る制御方法に係る処理について説明する。
【０１０７】
情報処理装置１００は、属性情報と、車両に関する情報とに基づいて、広告に関する制御を行う。
【０１０８】
情報処理装置１００は、例えば、広告を提供する地域を特定し、特定された地域に含まれる提供対象の属性情報と、特定された地域に含まれる車両に関する情報とに基づいて、広告に関する制御を行う。情報処理装置１００は、例えば、情報処理装置１００のユーザ（例えば、情報処理装置１００を操作するオペレータなど）の操作に基づき、広告を提供する地域を特定する。
【０１０９】
上記のように、情報処理装置１００が、広告を提供する地域に対応する属性情報と車両に関する情報とに基づいて広告に関する制御を行うことによって、当該地域により適した広告を提供することが可能な情報処理システムが、実現される。なお、情報処理装置１００が、広告を提供する地域を特定せずに広告に関する制御を行うことが可能であることは、言うまでもない。
【０１１０】
本実施形態に係る広告に関する制御としては、提供させる広告の内容の制御と、広告の提供の制御とが、挙げられる。本実施形態に係る提供させる広告の内容の制御の例、および本実施形態に係る広告の提供の制御の例については、後述する。
【０１１１】
情報処理装置１００は、通信部１０２（または外部の通信デバイス）に、制御情報を、制御対象の車両２００に対して送信させることによって、広告に関する制御を行う。広告に関する制御に係る処理は、上述したように、例えばプロセッサ１５０により行われる。
【０１１２】
本実施形態に係る制御情報としては、例えば、“提供させる広告を示すデータと、表示命令などの広告に関する処理命令とを含むデータ”が、挙げられる。また、制御情報には、広告の提供の仕方を示すデータが含まれていてもよい。広告の提供の仕方を示すデータとしては、例えば、車両２００が備える複数の表示デバイスのうちのどの表示デバイスに表示を行わせるかを示すデータや、車両２００が備える複数の音声出力デバイスのうちのどの音声出力デバイスに出力を行わせるかなどが、挙げられる。また、広告の提供の仕方を示すデータには、広告の提供開始時に周囲の者の注意を引くような音を出力させる命令が、含まれていてもよい。
【０１１３】
本実施形態に係る広告に関する制御の例については、後述する。
【０１１４】
本実施形態に係る属性情報とは、広告の提供対象の属性を示すデータである。
【０１１５】
本実施形態に係る広告の提供対象としては、例えば、車両２００の周辺に存在する人が、挙げられる。広告の提供対象としては、例えば、車両２００の表示画面Ｍを視認することができる可能性がある人、または、車両２００が出力させる音声を聴くことができる可能性がある人が、該当する。
【０１１６】
後述するように、属性情報は、例えば、車両２００が備える撮像部２０４により撮像された撮像画像に基づいて生成される。つまり、広告の提供対象としては、例えば、車両２００が備える撮像部２０４の撮像範囲に存在する人、すなわち、撮像画像に含まれうる人が、挙げられる。
【０１１７】
本実施形態に係る属性情報としては、例えば、広告の提供対象の性別、年齢（または年代。以下、同様とする。）、服装、髪型などを示す、広告の提供対象となる個人に関するデータが、挙げられる。また、本実施形態に係る属性情報は、広告の提供対象となる人数、性別の割合、年齢の割合、服装の割合、髪型の割合などを示す、広告の提供対象となる人の集合体に関するデータであってもよい。
【０１１８】
属性情報は、例えば、車両２００が備える撮像部２０４により撮像された撮像画像に対して顔検出処理を行うことにより人を検出し、検出された顔に対して、性別や年齢などを解析する任意の画像処理を行うことによって、生成される。
【０１１９】
ここで、属性情報を生成する処理は、情報処理装置１００が行ってもよいし、車両２００などの情報処理装置１００の外部装置により行われてもよい。属性情報を生成する処理が情報処理装置１００により行われる場合、情報処理装置１００は、車両２００から取得される撮像画像を処理して属性情報を生成することによって、属性情報を取得する。また、属性情報を生成する処理が外部装置により行われる場合、情報処理装置１００は、例えば、当該外部装置から属性情報を取得する。
【０１２０】
また、本実施形態に係る車両に関する情報とは、広告を提供する車両２００に関するデータである。
【０１２１】
車両に関する情報としては、例えば、車両２００の位置を示す情報、車両２００の動きを示す情報、車両２００の周辺環境を示す情報、車両２００の種別を示す情報のうちの１また２以上などが、挙げられる。
【０１２２】
車両２００の位置を示す情報としては、例えば、車両２００が存在する座標位置を示すデータ（例えば、緯度経度を示すデータ）や、車両２００がどこに存在するかを示すデータ（例えば、車両２００が存在している道路の名称などを示すデータ）が、挙げられる。車両２００の位置を示す情報は、例えば、車両２００が備えるセンサ群２６８を構成する位置センサの検出結果に基づき得られる。情報処理装置１００は、車両２００と通信を行うことによって、車両２００の位置を示す情報を取得する。
【０１２３】
また、車両２００の動きを示す情報としては、例えば、車両２００の移動速度を示す情報や、車両２００の加速度を示す情報などの、車両２００の動きを表すことが可能な１または２以上の情報が挙げられる。車両２００の動きを示す情報は、例えば、車両２００が備えるセンサ群２６８を構成する動きセンサの検出結果に基づき得られる。情報処理装置１００は、車両２００と通信を行うことによって、車両２００の動きを示す情報を取得する。
【０１２４】
また、車両２００の周辺環境を示す情報としては、例えば、車両２００が存在する位置から所定の範囲内で開催されているイベントを示す情報、道路の混雑状況（渋滞状況）を示す情報などが、挙げられる。車両２００の周辺環境を示す情報は、例えば、情報処理装置１００が、各種情報を管理するサーバなどの外部装置と通信を行うことによって取得される。また、情報処理装置１００は、上記各種情報を管理するサーバなどと通信を行った車両２００から、車両２００の周辺環境を示す情報を取得してもよい。
【０１２５】
また、車両２００の種別を示す情報としては、例えば、車種を示す情報や、車両識別番号を示す情報などの、車両２００を識別することが可能な任意の情報が挙げられる。車両２００の種別を示す情報は、例えば、情報処理装置１００が、車両２００、または、車両２００を管理するサーバなどの外部装置と通信を行うことによって、取得される。
【０１２６】
なお、本実施形態に係る車両に関する情報は、上記に示す例に限られない。
【０１２７】
例えば、車両に関する情報には、車両２００が備える１または２以上の表示デバイス２６４における表示の制限を示す表示制限情報が、含まれていてもよい。
【０１２８】
本実施形態に係る表示の制限としては、例えば、広告の表示が行われるか否かに関する制限と、表示される広告の内容に関する制限との一方または双方が、挙げられる。例えば、車両２００が備える表示デバイス２６４のうちのある表示デバイスに対して、広告の表示が行われない旨の制限がされている場合には、車両２００では、制限されている当該ある表示デバイスにおける広告の表示は行われない。また、例えば、車両２００が備える表示デバイス２６４のうちのある表示デバイスに対して、ある商品の広告の表示が制限されている場合には、車両２００では、制限されている当該ある商品の広告の表示は行われない。
【０１２９】
本実施形態に係る表示制限情報が示す制限内容としては、例えば下記に示す第１の制限内容〜第３の制限内容が挙げられる。
・第１の制限内容：車両２００が備える全ての表示デバイス２６４において、広告を示す画像の表示と広告内容とが制限されない
・第２の制限内容：車両２００が備える全ての表示デバイス２６４において、広告を示す画像の表示と広告内容とが制限される
・第３の制限内容：“車両２００が備える表示デバイス２６４のうちの一部において、広告を示す画像の表示が制限される”、および／または、“車両２００が備える全ての表示デバイス２６４あるいは一部の表示デバイス２６４において、広告内容が制限される”
【０１３０】
表示制限情報が示す制限内容は、例えば、車両２００に対して支払われた代金に基づき設定される。例えば、車両２００に設定されている価格に対して代金が支払われていない場合には、上記第１の制限内容が設定される。また、例えば、車両２００に設定されている価格に対して代金が全額支払われている場合には、上記第２の制限内容が設定される。また、例えば、車両２００に設定されている価格に対して代金が一部支払われている場合には、上記第３の制限内容が設定される。上記第３の制限内容における制限は、例えば、“支払われている代金が多ければ多い程、広告を示す画像の表示が制限される表示デバイスの数が増える”など、支払われている代金によって変わりうる。
【０１３１】
表示制限情報が示す制限内容は、例えば、車両２００を販売するサービスを提供するサービス事業者などが管理するサーバなどにおいて、設定される。上記サービス事業者などが管理するサーバなどは、例えば、車両２００の所有者など所定のユーザの操作に基づいて、表示される広告の内容に関する制限を変更してもよい。なお、表示制限情報が示す制限内容は、情報処理装置１００において設定されてもよい。
【０１３２】
情報処理装置１００は、上記サービス事業者などが管理するサーバなどと通信を行うことによって、表示制限情報を取得する。そして、情報処理装置１００は、表示制限情報に基づいて、車両２００において広告を表示させる表示デバイスを制限する。
【０１３３】
上記のように表示制限情報に基づく広告に関する制御が行われることによって、例えば下記に示すような、車両２００に対して支払われた代金に基づくビジネスモデルが、実現される。
・車両２００を無料で提供し、無料で提供された車両２００に広告を表示させることによって、車両２００の普及を図りつつ、広告料で収益を得るビジネスモデル（第１の制限内容が設定される場合におけるビジネスモデルの一例）
・車両２００を販売することにより収益を得るビジネスモデル（第２の制限内容が設定される場合におけるビジネスモデルの一例）
・車両２００を割引き販売で提供し、割引いて提供された車両２００に広告を表示させることによって、車両２００の普及を図りつつ、広告料で収益を得るビジネスモデル（第３の制限内容が設定される場合におけるビジネスモデルの一例）
【０１３４】
以下、本実施形態に係る制御方法に係る処理について、より具体的に説明する。
【０１３５】
情報処理装置１００は、制御方法に係る処理として、例えば、“下記に示す（１）広告に関する制御に係る処理”、または、“下記に示す（１）広告に関する制御に係る処理および下記に示す（２）広告の評価に関する処理”を、行う。
【０１３６】
（１）広告に関する制御に係る処理
情報処理装置１００は、属性情報と車両に関する情報とに基づいて、広告に関する制御を行う。
【０１３７】
上述したように、情報処理装置１００は、広告に関する制御として、提供させる広告の内容の制御と、広告の提供の制御とを行う。より具体的には、情報処理装置１００は、例えば、属性情報と車両に関する情報とに基づいて広告を決定し（広告の内容の制御）、決定された広告を車両２００に提供させる（広告の提供の制御）。
【０１３８】
（１−１）広告の内容の制御の一例
情報処理装置１００は、例えば、属性情報と車両に関する情報とに基づいて、広告を決定する。
【０１３９】
情報処理装置１００は、例えば、１種類の広告を決定する。
【０１４０】
また、情報処理装置１００は、例えば、複数種類の広告を決定してもよい。複数種類の広告が決定される場合、車両２００では、決定された複数の広告が複数の提供デバイスにより同時に提供されてもよいし、決定された複数の広告が１または２以上の提供デバイスにより切り替えて提供されてもよい。
【０１４１】
さらに、複数種類の広告を決定する場合には、情報処理装置１００は、複数種類の広告を優先度を付けて決定してもよい。
【０１４２】
情報処理装置１００は、例えば、“属性情報に対応するデータ、車両に関する情報に対応するデータ、および１または２以上の広告内容を示すデータが対応付けられているテーブル（または、データベース。以下、「広告決定用テーブル」と示す場合がある。）”を参照し、属性情報および車両に関する情報に対応する広告内容を特定することによって、広告を決定する。
【０１４３】
広告決定用テーブルは、例えば、記憶部（図示せず）や外部の記録媒体などの記録媒体に記憶される。
【０１４４】
また、広告決定用テーブルは、適宜更新されうる。広告決定用テーブルを更新する処理は、情報処理装置１００が行ってもよいし、情報処理装置１００の外部装置が行ってもよい。広告決定用テーブルを更新する処理が行われることによって、例えば、時間帯ごとの広告の提供、車両２００が存在する地域ごとの広告の提供、当該地域に存在する提供対象に応じた広告など、より効果的な広告の提供を、実現することができる。
【０１４５】
また、広告決定用テーブルにおいて、複数の広告内容を示すデータが対応付けられている場合には、各広告内容を示すデータに対して、優先度が予め設定されていてもよい。優先度が設定されているテーブルを参照することによって、情報処理装置１００は、複数種類の広告を優先度を付けて決定することができる。
【０１４６】
なお、各広告に対する優先度は、属性情報と車両に関する情報との一方または双方に基づいて、設定されてもよい。一例を挙げると、例えば、属性情報に基づき女性の割合が男性の割合よりも多いと認識される場合、女性向けの広告には、より高い優先度が設定される。また、他の例を挙げると、例えば、車両に関する情報が示す車両２００の位置と、広告に対応する店舗の位置との距離が近い程、当該店舗に対応する広告には、より高い優先度が設定される。また、上記に示す例を組み合わせることによって、優先度を設定することも可能である。ここで、優先度の設定に係る処理は、情報処理装置１００が行ってもよいし、情報処理装置１００の外部装置が行ってもよい。
【０１４７】
広告決定用テーブルの一例としては、例えば、“車両の位置と、提供対象の性別および年齢と、１または２以上の広告内容を示すデータとが対応付けられているテーブル”が、挙げられる。情報処理装置１００は、例えば、車両に関する情報に基づき車両の位置を特定し、属性情報に基づき提供対象を特定する。そして、情報処理装置１００は、上記“車両の位置と、提供対象の性別および年齢と、広告内容とが対応付けられているテーブル”を参照することによって、属性情報および車両に関する情報に対応する広告内容を示すデータを特定する。
【０１４８】
例えば上記のように“車両の位置と、提供対象の性別および年齢と、１または２以上の広告内容を示すデータとが対応付けられているテーブル”を参照することによって、情報処理装置１００は、車両に関する情報に基づき特定される車両の位置、および属性情報に基づき特定される提供対象に対応する広告を、車両２００に提供させる広告として決定する。また、“車両の位置と、提供対象の性別および年齢と、１または２以上の広告内容を示すデータとが対応付けられているテーブル”に優先度が設定されている場合には、車両に関する情報に基づき特定される車両の位置、および属性情報に基づき特定される提供対象に対応する広告を、優先度を付けて決定することができる。
【０１４９】
なお、本実施形態に係る広告決定用テーブルは、上記に示す例に限られない。
【０１５０】
例えば、広告決定用テーブルには、各広告のターゲットを示す情報が、さらに含まれていてもよい。本実施形態に係る広告のターゲットとは、例えば、広告の提供元が想定している広告を提供したい対象となる人を指す。広告のターゲットを示す情報が示すターゲットとしては、例えば、通行人や、車両２００の後方の車両の運転者などが、挙げられる。
【０１５１】
また、広告決定用テーブルには、例えば、広告の提供期間を示す情報（例えば、何年何月何日から１ヵ月間、提供が開始されてから３週間など、提供期間を示すデータ）と、広告の提供時間帯を示す情報（例えば、朝：６時〜１０時、昼：１１時〜１５時、夜：１８時〜２２時など、時間帯を示すデータ）との一方または双方が、さらに含まれていてもよい。広告の提供期間を示す情報が広告決定用テーブルに含まれるときには、提供期間を満たす広告（広告が提供される時点が、提供期間内である広告）が、提供される。また、広告の提供時間帯を示す情報が広告決定用テーブルに含まれるときには、提供時間帯を満たす広告（広告が提供される時点が、提供時間帯内である広告）が、提供される。
【０１５２】
（１−２）広告の提供の制御
例えば上記（１−１）に示すような広告に関する制御によって広告が決定されると、情報処理装置１００は、決定された広告を車両２００に提供させる。
【０１５３】
情報処理装置１００は、例えば、決定された広告を示すデータ（提供させる広告を示すデータ）と広告に関する処理命令とを含む制御情報を、制御対象の車両２００に対して送信することによって、決定された広告を車両２００に提供させる。
【０１５４】
例えば、広告決定用テーブルに広告のターゲットを示す情報が含まれる場合、広告に関する処理命令には、広告のターゲットを示す情報が示すターゲットに応じた命令が含まれる。例えば、広告のターゲットを示す情報が、車両２００の後方の車両の運転者を示す場合、情報処理装置１００は、図４Ｃに示すような車両２００の背面に設けられる表示画面Ｍに広告を表示させる命令を含む広告に関する処理命令を生成する。
【０１５５】
ここで、上記制御対象の車両２００としては、例えば、車両に関する情報に対応する車両２００が、挙げられる。
【０１５６】
なお、上記制御対象の車両２００は、上記に示す例に限られない。
【０１５７】
例えば、情報処理装置１００は、車両に関する情報に対応する車両２００と他の車両２００との距離に基づいて、当該他の車両２００に対して制御情報を送信することによって、決定された広告を当該他の車両２００に提供させることも、可能である。
【０１５８】
一例を挙げると、情報処理装置１００は、例えば、車両に関する情報に対応する車両２００と他の車両２００との直線距離を、各車両２００に対応する車両に関する情報が示す位置に基づき算出する。そして、情報処理装置１００は、算出された直線距離が設定されている閾値より小さい場合（または、当該直線距離が当該閾値以下の場合）に、決定された広告を、当該他の車両２００に提供させる。
【０１５９】
例えば上記のように、情報処理装置１００が、車両に関する情報に対応する車両２００と他の車両２００との距離に基づいて決定された広告を提供させることによって、“車両に関する情報に対応する車両２００の位置を基準としたときに設定されている範囲に存在する複数の車両２００に対して、同一の広告を提供させること”が、実現される。
【０１６０】
なお、広告の提供の制御の例は、上記に示す例に限られない。
【０１６１】
例えば、情報処理装置１００は、広告の提供の制御に係る処理として、下記の（１−２−１）に示す処理、下記の（１−２−２）に示す処理、下記の（１−２−３）に示す処理、および下記の（１−２−４）に示す処理のうちの１または２以上の処理を、さらに行うことも可能である。
【０１６２】
（１−２−１）広告の提供の仕方の制御に係る処理
情報処理装置１００は、車両に関する情報に基づいて、決定された広告の提供の仕方を制御する。決定された広告の提供の仕方を制御する例としては、例えば、下記の（Ａ）に示す例〜下記の（Ｄ）に示す例が、挙げられる。なお、決定された広告の提供の仕方を制御する例が、下記の（Ａ）に示す例〜下記の（Ｄ）に示す例に限られないことは、言うまでもない。
【０１６３】
（Ａ）決定された広告の提供の制限
情報処理装置１００は、例えば、車両に関する情報に基づいて、車両２００における決定された広告の提供を制限する。より具体的には、情報処理装置１００は、例えば、表示制限情報（車両に関する情報の一例）が示す制限内容に従って、車両２００における広告の提供を制限する。
【０１６４】
例えば、表示制限情報が上述した第１の制限内容を示す場合、情報処理装置１００は、車両２００に、決定された広告を提供させない。
【０１６５】
また、例えば、表示制限情報が上述した第２の制限内容を示す場合、情報処理装置１００は、車両２００に、決定された広告を制限することなく提供させる。
【０１６６】
また、例えば、表示制限情報が上述した第３の制限内容を示す場合、情報処理装置１００は、車両２００における決定された広告の提供を一部制限する。
【０１６７】
例えば、車両２００が提供デバイスを複数備える場合、情報処理装置１００は、複数の提供デバイスのうちの一部を用いた広告の提供を制限する。例えば図４Ａ〜図４Ｃに示すように、車両２００が複数の表示デバイス（提供デバイスの一例）を備える場合、情報処理装置１００は、一部の表示デバイスには決定された広告の表示をさせない。
【０１６８】
ここで、情報処理装置１００が広告の提供を制限する提供デバイスは、予め設定されている提供デバイスであってもよいし、車両に関する情報に基づいて動的に設定されてもよい。制限される提供デバイスが動的に設定される例としては、例えば、“車両２００の動きを示す情報（車両に関する情報の一例）が示す車両２００の速度によって表示を制限する提供デバイスが変わるように、制限される提供デバイスを設定すること”などが、挙げられる。情報処理装置１００は、例えば、速度と制限される提供デバイスとが対応付けられているテーブル（またはデータベース）を参照することによって、車両２００の動きを示す情報が示す速度に対応する提供デバイスを、特定する。
【０１６９】
なお、車両２００は、車両２００の速度によって提供する広告を変えてもよい。一例を挙げると、車両２００は、車両２００の速度が速いとき（例えば車両２００の速度が５０［ｋｍ／ｈ］以上のとき）、車両２００の速度が遅いとき（例えば車両２００の速度が５０［ｋｍ／ｈ］未満のとき）、あるいは、車両２００が停止しているときで、提供する広告を変える。
【０１７０】
速度により広告が変わる例としては、例えば、“別の商品の広告や、別のサービスの広告に変わること”や、“同一の商品における別バージョンの広告や、同一のサービスにおける別バージョンの広告に変わること”などが、挙げられる。上記別バージョンの広告の例としては、例えば、１５［秒］の広告動画、３０［秒］の広告動画、６０［秒］の広告動画が、挙げられる。
【０１７１】
例えば車両２００の速度が速いときには、広告の提供対象となる人が広告動画を見ている途中で車両２００が走り去ってしまうことにより、当該人の視界から車両２００が消えてしまう可能性があるので、車両２００は、１５［秒］の広告動画のようなより短い広告動画を繰り返し再生する。また、例えば、車両２００の速度が遅いときには、車両２００は、車両２００の速度が速いときよりも長い３０［秒］の広告動画を繰り返し再生し、車両２００が停止しているときには、車両２００は、車両２００の速度が遅いときよりも長い６０［秒］の広告動画を繰り返し再生する。
【０１７２】
（Ｂ）複数の車両による連携
情報処理装置１００は、複数の車両２００それぞれに対応する車両に関する情報に基づいて、複数の車両２００に、決定された広告を連携して提供させる。
【０１７３】
情報処理装置１００は、例えば、車両に関する情報に対応する車両２００と他の車両２００との直線距離を、各車両２００に対応する車両に関する情報が示す位置に基づき算出する。そして、情報処理装置１００は、算出された直線距離が設定されている閾値より小さい場合（または、当該直線距離が当該閾値以下の場合）に、決定された広告を連携して提供させる。
【０１７４】
複数の車両２００に連携して広告を提供させる例としては、例えば下記に示す例が挙げられる。なお、複数の車両２００に連携して広告を提供させる例が、下記に示す例に限られないことは、言うまでもない。
・複数の車両２００に、同一の広告を、同一のタイミングで提供させる。
・複数の車両２００に、同一の広告を、車両２００間の距離に対応する異なるタイミングで提供させる。
・複数の車両２００に、同一の商品またはサービスに対応する異なる広告（例えば、男性向けの広告と、女性向けの広告など）を、提供させる。
【０１７５】
具体例として、複数の車両２００が、６０［秒］の広告動画を、歩行者向けに再生する例を示す。第１の車両２００がある位置で停止し、広告動画を再生し始めた後、広告動画の２０［秒］の辺りで当該ある位置から走り去った場合、第１の車両２００の後に当該ある位置に来る第２の車両２００は、例えば、当該ある位置において当該広告動画を最初から再生するのではなく、第１の車両２００が再生した広告動画の続きである、２０［秒］の辺りから再生する。上記に示す連携の具体例は、例えば、ある位置での広告コンテンツの再生に関する情報（例えば、広告コンテンツが動画である場合には何［秒］まで再生したかを示すデータなど）が、複数の車両２００で共有されることによって、実現可能である。複数の車両２００での広告コンテンツの再生に関する情報の共有は、車両２００間で直接通信が行われることによる共有や、情報処理装置１００を介した共有などが、挙げられる。
【０１７６】
なお、上記に示す連携の具体例は、特定の位置を基準とした複数の車両２００における連携した広告の提供の一例であるが、本実施形態に係る連携の例は、上記に示す例に限られない。本実施形態に係る連携の他の例としては、車両２００が備える撮像デバイスで認識した特定の人物画像を基準とした複数の車両２００における連携した広告の提供が、挙げられる。特定の人物画像を基準とする場合の具体例としては、例えば、“第１の車両２００が特定の人物を把握して、広告動画の再生を始め、第１の車両２００が当該人物の前から走り去ったタイミングで、当該広告動画に対応する広告コンテンツの再生に関する情報が、後続の第２の車両２００で共有されること”が、挙げられる。上記特定の人物画像を基準とする場合の具体例によって、例えば、“道路脇を歩いている歩行者を次々と車両２００が追い越していくような場面においても、歩行者に対して広告動画の重複したシーンを見せることなく、効果的に広告動画を見せること”が、実現される。
【０１７７】
（Ｃ）広告の提供時間の制限
情報処理装置１００は、例えば、属性情報に基づいて、車両２００における決定された広告の提供時間を制限する。
【０１７８】
情報処理装置１００は、例えば、属性情報が示す割合（例えば、性別の割合、年齢の割合など）に基づいて、広告の提供時間を決定することによって、広告ごとに提供時間を制限する。情報処理装置１００は、例えば、“属性情報に対応する割合、広告内容を示すデータ、および提供時間とが対応付けられているテーブル（または、データベース）”を参照することによって、決定された広告ごとに提供時間を決定することによって、広告ごとに提供時間を制限する。
【０１７９】
広告ごとに提供時間が制限されることによって、例えば、属性情報に基づいて、ある期間において提供される広告の時間配分を変えることができる。一例を挙げると、属性情報が示す割合が女性が男性よりも多いことを示している場合には、設定されている期間において、女性向けの広告コンテンツが車両２００で再生される時間が、男性向けの広告コンテンツが車両２００で再生される時間よりも長くなる。上記のように広告ごとに提供時間が制限されることによって、例えば、広告を見る可能性が高い人に対して、その人により適した広告（その人向けの広告）を提供することができる。
【０１８０】
（Ｄ）
情報処理装置１００は、上記（Ａ）に示す例〜下記の（Ｃ）に示す例のうちの、２以上を組み合わせることも可能である。
【０１８１】
（１−２−２）優先度に基づく制御に係る処理
例えば上記（１−１）に示すような広告に関する制御によって、優先度を付けて複数種類の広告を決定した場合、情報処理装置１００は、優先度に基づく提供の仕方で、決定された複数種類の広告を、制御対象の車両２００に提供させる。
【０１８２】
ここで、本実施形態に係る優先度に基づく提供の仕方としては、例えば下記に示す例が挙げられる。なお、優先度に基づく提供の仕方の例が、下記に示す例に限られないことは、言うまでもない。
・優先度が高い程、表示画面に表示される時間が長くなるように、各広告を表示させる（広告が提供される時間の配分が優先度に基づき制御される例）
・優先度が高い程、表示画面に表示される領域が大きくなるように、各広告を表示させる（広告が提供される画面領域の配分が優先度に基づき制御される例）
・上記に示す２つの例の組み合わせ
【０１８３】
（１−２−３）広告の評価に関する処理による評価結果に応じた制御に係る処理
情報処理装置１００は、後述する広告の評価に関する処理の結果に対応する広告を、車両２００に提供させる。広告の評価に関する処理による評価結果に対応する広告の提供例については、後述する。
【０１８４】
（１−２−４）車両２００の移動制御に係る処理
情報処理装置１００は、車両に関する情報に基づいて、車両２００の移動制御に係る処理を行う。
【０１８５】
情報処理装置１００は、例えば、車両２００の周辺環境を示す情報（車両に関する情報の一例）に基づいて、決定された広告のターゲットが集まる場所を特定する。また、情報処理装置１００は、例えば、車両２００の位置を示す情報（車両に関する情報の他の例）と、特定された場所とに基づいて、特定された場所に車両２００を移動させるためのルートを決定する。そして、情報処理装置１００は、特定された場所に車両２００を移動させるルートを含む制御情報を送信することによって、車両２００を特定された場所に移動させる。
【０１８６】
なお、車両２００の移動制御に係る処理の例が、上記に示す例に限られないことは、言うまでもない。
【０１８７】
情報処理装置１００は、本実施形態に係る制御方法に係る処理として、上記のような広告に関する制御に係る処理を行うことによって、車両２００に広告を提供させる。ここで、情報処理装置１００は、属性情報および車両に関する情報に基づき決定される広告を車両２００に提供させるので、広告に対して設定されているターゲットに対して、当該広告が提供される可能性が高い。
【０１８８】
したがって、情報処理装置１００は、上記のような広告に関する制御に係る処理を行うことによって、広告の提供効果の向上を図ることができる。
【０１８９】
（２）広告の評価に関する処理
情報処理装置１００は、車両２００に提供させた広告の評価に関する処理を、さらに行ってもよい。
【０１９０】
情報処理装置１００は、例えば、店舗などの広告内容に対応する場所に設けられる撮像装置から取得された撮像画像を解析することによって、車両２００に提供させた広告を評価する。
【０１９１】
一例を挙げると、情報処理装置１００は、例えば、上記撮像装置から取得された撮像画像に対して顔検出処理を行うことにより人を検出し、検出された顔に対して、性別や年齢などを解析する任意の画像処理を行うことによって、広告内容に対応する場所に来た人の属性情報を生成する。そして、情報処理装置１００は、車両２００に提供させた広告に対して設定されているターゲットと、生成された属性情報から得られる解析結果（例えば、性別の割合や、年齢の割合など）とに基づいて、広告の提供効果を評価する。
【０１９２】
他の例を挙げると、情報処理装置１００は、上述したように、車両２００から取得された撮像画像に対して顔検出処理を行い、車両２００の周辺にいる広告の提供対象となる人の顔を検出する。また、情報処理装置１００は、例えば、上記撮像装置から取得された撮像画像に対して顔検出処理を行い、広告内容に対応する場所に来た人の顔を検出する。そして、情報処理装置１００は、車両２００から取得された撮像画像から検出された顔の特徴量と、上記撮像装置から取得された撮像画像から検出された顔の特徴量とを比較して、広告の提供対象となった人が広告内容に対応する場所に来たか否かを判定することによって、広告の提供効果を評価する。
【０１９３】
ここで、広告の提供対象となった人が広告内容に対応する場所に来たと判定された場合には、広告内容に対応する場所に来たと判定された人に対して、割引きやポイント付与などのインセンティブが、与えられてもよい。上記インセンティブを付与する処理は、情報処理装置１００が行ってもよいし、サーバなどの情報処理装置１００の外部装置により行われてもよい。
【０１９４】
なお、車両２００に提供させた広告の評価に関する処理の例は、上記に示す例に限られず、情報処理装置１００は、車両２００に提供させた広告を評価することが可能な、任意の処理を行うことが可能である。
【０１９５】
例えば上記のような広告の評価に関する処理が行われることによって、情報処理システム１０００では、広告の提供効果が評価される。よって、情報処理システム１０００では、例えば情報処理装置１００により評価結果に応じた制御に係る処理が行われることによって、下記のような評価結果に応じた広告の提供を実現することが可能となる。なお、情報処理装置１００における、広告の評価に関する処理の例、および評価結果に対応する広告の提供例が、下記に示す例に限られないことは、言うまでもない。
・情報処理装置１００は、広告内容に対応する店舗におけるある時点の客層を分析することにより、普段と比べて少ない客層を把握する。そして、情報処理装置１００は、把握された客層に向けた広告を、車両２００に提供させる。また、情報処理装置１００は、車両２００から取得される属性情報に基づいて、把握された客層が集まっている地域を特定し、特定された地域に存在する車両２００に、把握された客層に向けた広告を提供させてもよい。
【０１９６】
［ＩＩ］本実施形態に係る制御方法に係る処理の具体例
次に、上述した本実施形態に係る制御方法に係る処理の具体例を示す。以下では、本実施形態に係る制御方法に係る処理の例として、“情報処理装置１００が情報処理システム１０００を構成する車両とは別体の装置である場合における処理の例”と、“情報処理装置１００が情報処理システム１０００を構成する車両である場合における処理の例”とを示す。
【０１９７】
図７は、本実施形態に係る制御方法に係る処理の一例を示す流れ図である。図７は、情報処理装置１００がサーバである場合などのように、情報処理装置１００が情報処理システム１０００を構成する車両とは別体の装置である場合における制御方法に係る処理の一例を示している。
【０１９８】
情報処理装置１００は、広告を提供する地域を決定する（Ｓ１００）。情報処理装置１００は、例えば、情報処理装置１００のユーザの操作に基づき、広告を提供する地域を特定する。
【０１９９】
情報処理装置１００は、決定された地域に存在する者の属性情報を取得する（Ｓ１０２）。情報処理装置１００は、例えば、決定された地域に存在する車両２００から取得された撮像画像を処理すること、当該車両２００から属性情報を取得することなどによって、属性情報を取得する。
【０２００】
情報処理装置１００は、決定された地域に存在する車両２００の車両に関する情報を取得する（Ｓ１０４）。情報処理装置１００は、例えば、車両２００や、各種情報を管理するサーバなどの外部装置と通信を行うことによって、車両に関する情報を取得する。
【０２０１】
情報処理装置１００は、属性情報と車両に関する情報とに基づいて、広告内容と提供の仕方を決定する（Ｓ１０６）。情報処理装置１００は、例えば上記（１−１）に示す広告に関する制御に係る処理を行うことによって、広告内容と提供の仕方を決定する。
【０２０２】
情報処理装置１００は、車両２００に対して制御情報を送信する（Ｓ１０８）。
【０２０３】
情報処理装置１００は、車両２００に広告の提供を続けさせるか否かを判定する（Ｓ１１０）。情報処理装置１００は、例えば、広告に対して設定されている提供期限が経過したと判定された場合や、広告の提供を停止させる操作が検出された場合などに、車両２００に広告の提供を続けさせると判定しない。
【０２０４】
ステップＳ１１０において車両２００に広告の提供を続けさせると判定された場合には、情報処理装置１００は、ステップＳ１０２からの処理を繰り返す。また、ステップＳ１１０において車両２００に広告の提供を続けさせると判定されない場合には、情報処理装置１００は、図７に示す処理を終了する。なお、車両２００は、受信した制御情報に基づき広告を提供するが、提供する広告内容については、例えば、広告を示す画像（静止画像または動画像）を、予め複数種類、記憶部（図示せず）に記憶しておき、制御情報に基づき記憶部（図示せず）から選択して提供する。提供する広告内容の他の例としては、例えば、車両２００が、情報処理装置１００から制御情報を受信した後で、制御情報に基づき特定の広告を示す画像を情報処理装置１００から取得し、取得した広告を示す画像を提供することが、挙げられる。
【０２０５】
情報処理装置１００が情報処理システム１０００を構成する車両とは別体の装置である場合、情報処理装置１００は、例えば図７に示す処理を行うことによって、車両２００に、属性情報および車両に関する情報に基づき決定される広告を提供させる。よって、例えば図７に示す処理が行われることによって、広告の提供効果の向上を図ることができる。なお、情報処理装置１００が情報処理システム１０００を構成する車両とは別体の装置である場合における、制御方法に係る処理の例が、図７に示す例に限られないことは、言うまでもない。
【０２０６】
図８は、本実施形態に係る制御方法に係る処理の他の例を示す流れ図である。図８は、情報処理装置１００が情報処理システム１０００を構成する車両である場合（すなわち、情報処理システム１０００を構成する車両２００の少なくとも１つが、情報処理装置１００として機能する場合）における制御方法に係る処理の一例を示している。
【０２０７】
情報処理装置１００は、現在走行している地域を認識する（Ｓ２００）。情報処理装置１００は、例えば、ＧＮＳＳデバイスなどの位置センサの検出結果などに基づいて、現在走行している地域を認識する。
【０２０８】
情報処理装置１００は、ステップＳ２００において認識された地域に存在する者の属性情報を取得する（Ｓ２０２）。情報処理装置１００は、例えば、情報処理装置１００が備える撮像デバイスにより撮像された撮像画像を処理すること、認識された地域に存在する車両２００（他の車両）から取得された撮像画像を処理すること、当該車両２００から属性情報を取得することなどによって、属性情報を取得する。
【０２０９】
情報処理装置１００は、自装置（情報処理装置１００）の車両に関する情報を取得する（Ｓ２０４）。情報処理装置１００は、情報処理装置１００が備える各種センサや、各種情報を管理するサーバなどの外部装置と通信を行うことによって、情報処理装置１００に対応する車両に関する情報を取得する。
【０２１０】
情報処理装置１００は、ステップＳ２００において認識された地域に存在する車両２００（他の車両）の車両に関する情報を取得する（Ｓ２０６）。情報処理装置１００は、例えば図７のステップＳ１０４と同様に、車両２００や、各種情報を管理するサーバなどの外部装置と通信を行うことによって、車両に関する情報を取得する。
【０２１１】
情報処理装置１００は、図７のステップＳ１０６と同様に、属性情報と車両に関する情報とに基づいて、広告内容と提供の仕方を決定する（Ｓ２０８）。
【０２１２】
情報処理装置１００は、ステップＳ２０８において決定された広告内容の広告を、ステップＳ２０８において決定された提供の仕方で提供する（Ｓ２１０）。
【０２１３】
情報処理装置１００は、図７のステップＳ１０８と同様に、車両２００（他の車両）に対して制御情報を送信する（Ｓ２１２）。
【０２１４】
情報処理装置１００は、図７のステップＳ１１０と同様に、情報処理装置１００と車両２００（他の車両）とに広告の提供を続けさせるか否かを判定する（Ｓ２１４）。
【０２１５】
ステップＳ２１４において車両２００に広告の提供を続けさせると判定された場合には、情報処理装置１００は、ステップＳ２０２からの処理を繰り返す。また、ステップＳ２１４において広告の提供を続けさせると判定されない場合には、情報処理装置１００は、図８に示す処理を終了する。
【０２１６】
情報処理装置１００が情報処理システム１０００を構成する車両である場合、情報処理装置１００は、例えば図８に示す処理を行うことによって、情報処理装置１００と車両２００（他の車両）とに、属性情報および車両に関する情報に基づき決定される広告を提供させる。よって、例えば図８に示す処理が行われることによって、広告の提供効果の向上を図ることができる。なお、情報処理装置１００が情報処理システム１０００を構成する車両である場合における、制御方法に係る処理の例が、図８に示す例に限られないことは、言うまでもない。
【０２１７】
（本実施形態に係る情報処理システムを構成する各装置の適用例）
以上、本実施形態に係る情報処理システムの構成要素として、情報処理装置を挙げて説明したが、本実施形態は、かかる形態に限られない。本実施形態は、例えば、“ＰＣ（Personal  Computer）やサ−バなどのコンピュ−タ”、“スマ−トフォンなどの通信装置”、“アイウェア型の装置、時計型の装置、腕輪型の装置などのような使用者の身体に装着して用いられる任意のウェアラブル装置”、“タブレット型の装置”、
“ゲ−ム機”などの、本実施形態に係る情報処理装置として機能しうる様々な機器に適用することができる。また、上述したように、本実施形態に係る情報処理装置は、本実施形態に係る車両であってもよい。また、本実施形態は、例えば、上記のような機器に組み込むことが可能な、処理ＩＣに適用することもできる。
【０２１８】
また、本実施形態に係る情報処理システムの構成要素として、車両を挙げて説明したが、本実施形態は、かかる形態に限られない。本実施形態は、例えば、“電動カ−トなどのモ−タで動く電気自動車”、“モ−タで動く電動車いす”、“ガソリンや軽油などを燃焼させて動力を得る内燃機関で動く自動車”、“ホバ−クラフト、二足歩行ロボットなどの車輪を用いずに移動することが可能な移動体”などの、運転者による運転が可能な任意の移動体に適用することができる。
【０２１９】
（本実施形態に係るプログラム）
コンピュ−タを、本実施形態に係る情報処理装置として機能させるためのプログラム（例えば、処理部１１０として機能するプログラム）が、コンピュ−タにおいてプロセッサなどにより実行されることによって、広告の提供効果の向上を図ることができる。
【０２２０】
また、コンピュ−タを、本実施形態に係る情報処理装置として機能させるためのプログラムが、コンピュ−タにおいてプロセッサなどにより実行されることによって、上述した本実施形態に係る制御方法に係る処理によって奏される効果を、奏することができる。
【０２２１】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２２２】
例えば、上記では、コンピュ−タを、本実施形態に係る情報処理装置として機能させるためのプログラム（コンピュ−タプログラム）が提供されることを示したが、本実施形態は、例えば、さらに、上記プログラムが記憶された記録媒体も併せて提供することができる。
【０２２３】
上述した構成は、本実施形態の一例を示すものであり、当然に、本開示の技術的範囲に属するものである。
【０２２４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２２５】
なお、以下のような構成も本開示の技術的範囲に属する。
（１）
広告の提供対象の属性を示す属性情報と、広告を提供する車両に関する情報とに基づいて、前記車両に提供させる広告に関する制御を行う処理部を備える、情報処理装置。
（２）
前記処理部は、
広告を提供する地域を特定し、
特定された前記地域に含まれる前記提供対象の前記属性情報と、特定された前記地域に含まれる前記車両に関する情報とに基づいて、前記広告に関する制御を行う、（１）に記載の情報処理装置。
（３）
前記処理部は、前記広告に関する制御として、提供させる広告の内容の制御と、広告の提供の制御とを行う、（１）または（２）に記載の情報処理装置。
（４）
前記処理部は、前記属性情報と前記車両に関する情報とに基づいて広告を決定し、決定された前記広告を前記車両に提供させる、（１）〜（３）のいずれか１つに記載の情報処理装置。
（５）
前記処理部は、１種類の広告を決定し、決定された前記１種類の広告を前記車両に提供させる、（４）に記載の情報処理装置。
（６）
前記処理部は、複数種類の広告を決定し、決定された前記複数種類の広告を前記車両に提供させる、（４）に記載の情報処理装置。
（７）
前記処理部は、
複数種類の広告を優先度を付けて決定し、
前記優先度に基づく提供の仕方で、決定された前記複数種類の広告を前記車両に提供させる、（６）に記載の情報処理装置。
（８）
前記処理部は、前記車両に関する情報に基づき特定される前記車両の位置、および前記属性情報に基づき特定される前記提供対象に対応する広告を、前記車両に提供させる広告として決定する、（４）〜（７）のいずれか１つに記載の情報処理装置。
（９）
前記処理部は、前記属性情報と前記車両に関する情報との一方または双方に基づいて、決定された前記広告の提供の仕方を制御する、（４）〜（８）のいずれか１つに記載の情報処理装置。
（１０）
前記処理部は、前記車両に関する情報に基づいて、前記車両における決定された前記広告の提供を制限する、（９）に記載の情報処理装置。
（１１）
前記処理部は、前記車両に、決定された前記広告を提供させない、（１０）に記載の情報処理装置。
（１２）
前記車両が、広告を提供する提供デバイスを複数備える場合、
前記処理部は、前記車両が備える複数の前記提供デバイスのうちの一部を用いた前記広告の提供を、制限する、（１０）に記載の情報処理装置。
（１３）
前記処理部は、複数の前記車両それぞれに対応する前記車両に関する情報に基づいて、複数の前記車両に、決定された前記広告を連携して提供させる、（９）または（１０）に記載の情報処理装置。
（１４）
前記処理部は、前記属性情報に基づいて、前記車両における決定された前記広告の提供時間を制限する、（９）〜（１３）のいずれか１つに記載の情報処理装置。
（１５）
前記処理部は、前記車両に提供させた広告の評価に関する処理を、さらに行う、（１）〜（１４）のいずれか１つに記載の情報処理装置。
（１６）
前記処理部は、前記広告の評価に関する処理の結果に対応する広告を、前記車両に提供させる、（１５）に記載の情報処理装置。
（１７）
１または２以上の車両と、
前記車両それぞれに提供させる広告に関する制御を行う情報処理装置と、
を有し、
前記情報処理装置は、
広告の提供対象の属性を示す属性情報と、広告を提供する車両に関する情報とに基づいて、前記広告に関する制御を行う処理部を備える、情報処理システム。
【符号の説明】
【０２２６】
１００    情報処理装置
１０２、２０２    通信部
１０４、２１０    制御部
１１０    処理部
２００、２００Ａ、２００Ｂ、２００Ｃ    車両
２０４    撮像部
２０６    表示部
２０８    操作部
３００    ネットワ−ク
【図１】
2018105217.tif 000003
【図２】
2018105217.tif 000004
【図３】
2018105217.tif 000005
【図４Ａ】
2018105217.tif 000006
【図４Ｂ】
2018105217.tif 000007
【図４Ｃ】
2018105217.tif 000008
【図５】
2018105217.tif 000009
【図６】
2018105217.tif 000010
【図７】
2018105217.tif 000011
【図８】
2018105217.tif 000012
【国際調査報告】
2018105217.tif 000013
2018105217.tif 000014
2018105217.tif 000015
2018105217.tif 000016